(57)【特許請求の範囲】
【請求項１】
養鶏用の建造物に支持される為の外周枠体と、該外周枠体の内側に支持されるファンおよび該ファンの駆動部と、該外周枠体の両端側に軸支持された観音開き型の防護網と、該外周枠体の中間に設けられた中間支持部と、該中間支持部に設けられ、一回の操作によって、該観音開き型の防護網の両防護網を該外周枠に対して固定可能とするワンタッチ型フックとを有し、
該ワンタッチ型フックが、該中間支持部に対して固定されたベース部材と、該ベース部材に対して回動自在に設けられた押さえ部とを備え、該押さえ部がベース部材に設けた固定部に係合する切り欠きを備え、ベース部材に設けた固定部と押さえ部における切り欠きとの係合及び解放により両防護網を開閉できるように構成したことを特徴とする鶏舎用換気扇。
【発明の詳細な説明】
【技術分野】
【０００１】
本発明は特に鶏舎に取り付けることを目的とした換気扇に関し、特に換気扇の保護を担う保護網を清掃目的で迅速に開閉できるように考慮したワンタッチ型フックを備えた換気扇に関する。
【背景技術】
【０００２】
現状において、鶏舎に設けられるこの種の換気扇は、他の畜舎に設けられた換気扇とは異なり、養鶏の羽根を主な原因として、防護網の清掃を頻繁に行う必要がある。従って、清掃時における防護網の開閉に必要とする工数が多く、清掃コストを押し上げていた。また、鶏舎の大型化に伴い、換気扇も同様に大型化の傾向が強く、そのために、防護網も強度と扱いの関係で観音開き構造が好ましい。この構造によって、さらに開閉時の作業コストが押し上げられている。
【特許文献１】特開２００５−３２１１２９公開公報
【発明の開示】
【発明が解決しようとする課題】
【０００３】
ところで、以上の鶏舎用換気扇では、
ａ…養鶏の羽根が換気扇の防護網にたまり、頻繁に防護網を開閉して清掃を行う必要がある。
【０００４】
ｂ…大型化に伴い、力学的な面において、防護網は両開きにする必要がある。即ち観音開き形状となり、その防護網を止めるためのロックの箇所も１枚で形成された防護網の場合に比較して増加している。そのために、その開閉時におけるロック解除に伴う作業コストが増加している。
【０００５】
ｃ…同様に大型化に伴い清掃する作業者の立場からも、防護網は、観音開きにしないと、開閉時における手作業が困難になる。さらに、１枚の防護網では、回転に伴って占有する半径が大きくなるために、観音開きとすることにより、その半径もほぼ半減するために、設置条件が緩和する。このような理由からも観音開きの構造とする必要がある。その結果として、ｂと同様にロックの箇所も１枚で形成された防護網の場合に比較して増加している。そのために、その開閉時におけるロック解除に伴う作業コストが増加している。
【０００６】
ｄ…実際の清掃作業において、ロック機構部は、汚れに伴い作業可能な程度に清掃してからロック機構を操作する必要があり、この工数に伴う作業コストも増加していた。
【０００７】
ｅ…実際の清掃作業において、ロック機構部が、外周部に位置している場合、建造物の形態によっては、ロックの開閉が困難になるか、その作業がし難くなる。
【０００８】
以上ａ〜ｅの課題が存在していた。  
本発明では、以上のような課題を解決した鶏舎用換気扇を提供するものである。
【課題を解決するための手段】
【０００９】
上記の課題を解決するために、請求項１で定義される鶏舎用換気扇は、養鶏用の建造物に支持される為の外周枠体と、該外周枠体の内側に支持されるファンおよび該ファンの駆動部と、該外周枠体の両端側に軸支持された観音開き型の防護網と、該外周枠体の中間に設けられた中間支持部と、該中間支持部に設けられ、一回の操作によって、該観音開き型の防護網の両防護網を該外周枠に対して固定可能とするワンタッチ型フックとを有し、
該ワンタッチ型フックが、該中間支持部に対して固定されたベース部材と、該ベース部材に対して回動自在に設けられた押さえ部とを備え、該押さえ部がベース部材に設けた固定部に係合する切り欠きを備え、ベース部材に設けた固定部と押さえ部における切り欠きとの係合及び解放により両防護網を開閉できるように構成したことを特徴とするものである。
【発明の効果】
【００１１】
請求項１で定義される本発明は、
ａ…防護網が観音開き形状により、中間支持部に設けられたワンタッチ型フックにより固定されるために、従来のような外周側にある状況と比較すると、ロックの開閉作業が非常にしやすい。
【００１２】
ｂ…防護網が観音開き形状により半径が半減しているので、その防護網の占有する半径が半減する。このことは、高所における清掃作業者にとっては、非常に好都合である。つまり、従来のような大きな半径の防護網の場合には、それをよけるために、大きな行動をとらなければならず、本発明の適応により最小限の行動で防護網の開け閉めができることにおいて都合が良い。
【００１３】
ｃ…該観音開き型の防護網の両防護網を該外周枠に対して固定可能とするワンタッチ型フックによって、一度の操作で両防護網の開閉の操作ができるので、観音開きにしても、作業回数は変わらない。従って、作業コストも増加しない。
【００１４】
以上ａ〜ｃの効果を総合して備えているものである。
【００１５】
請求項２で定義される本発明の効果は、請求項１の構成において該ワンタッチ型フックが、該中央支持部に対して回動自在に設けられた押さえ部を備え、該両防護網を該押さえ部の一回の操作によって固定可能とした押さえ部を有することを特徴としている。この回転操作は、付着した汚れに対しても比較的問題なく動く傾向があるので、鶏舎において利便性が高い。
【発明を実施するための最良の形態】
【００１６】
以下、添付図面に示した一実施例を参照しながら本発明に係る鶏舎用換気扇を説明する。
【００１７】
図１は、本発明の一実施例を示す斜視図である。  
図中において、１は鶏舎用換気扇、２は外周枠体、３はファン、４は中間支持部、５はファンの駆動部、６は防護網（右側）、７は防護網（左側）、Ａはワンタッチ型フック、A1はベース部材、A2は押さえ部、A3は固定ネジ、A4は回動軸である。
【００１８】
同図の下方には鶏舎用換気扇１の全体を示し、鶏舎の建造物に取り付けられることを目的とした外周枠体２と、この外周枠の内側には、略中央にファン３が設けられ、外周枠体２の上側左にはファンの駆動部が配置され、該ファンの駆動部と該ファン３とは駆動用ベルトによって連結され、ファンが回転できるように構成されている。外周枠体２の中央縦方向には、中間支持部４が設けられ、外周枠体と連結されている。また、該中間支持部４を境に左右には各々防護網６，７が設けられ、各防護網６，７の外周側を軸に開閉するように構成されている。中間支持部４にはワンタッチ型フックＡが４箇所設けられ、該防護網６，７を該ワンタッチ型フックＡによって固定されている。この固定されている様子が同図の上側の拡大図で表している。
【００１９】
図２は図１の鶏舎用換気扇の防護網を開けた状態を示している。右側の防護網は、３０度開いた状態、左側は１００度ほど開いた状態であり、各々の防護網は必要により左右に十分に開くことが可能である。一方、同図の上側は、ワンタッチ型フックＡの押さえ部A2を回転して、防護網６，７を開放した状態を示している。この開放した状態の図面を参照して、該ワンタッチ型フックＡの構造を説明する。
【００２０】
ベース部材A1は中間支持部に対して固定されている。この固定はネジ固定、溶着等によってなされる。該ベース部材A1の２端の隅には固定ネジA3がねじ込まれており、所望に応じて螺子ドライバによって手動で回転ができ、上下方向に調節ができるように構成されている。
【００２１】
同図において、固定ネジA3はゆるめられ、押さえ部A2が回動軸A4を中心に回動ができ、図面上では、ベース部材A1に対して９０度時計回りに押さえ部A2が回されている。この回転に伴って、図１では防護網６，７がベース部材A1と押さえ部A2との間に挟まれて固定されていたが、それがこの押さえ部A2の１操作によって開放可能となっている。
【００２２】
なお、押さえ部A2を同図において、反時計回りに９０度回動させることで、固定ネジに切り欠きA5が嵌合するように構成されている。この様子を更に図３を参照して説明する。図３において、左上は保護網６，７を固定している状態であり、押さえ部A2の中心付近を説明のため部分断面としている。押さえ部A2とベース部材との間で且つ回動軸の周辺にはバネ部材A6を配置している。このバネ部材A6は、押さえ部A2とベース部材との間を拡張する方向にバネ部材は設けられ、従って、押さえ部A2は何れの角度であっても、ベース部材A1に対して緊張状態を保ち、振動などで押さえ部が自然に回動することを防止している。このバネ部材は、ゴムのリングなどで代用することも可能である。また、固定ネジA3を固定時に十分に締めることにより、該自然に回動することは防止できるので、該バネ部材は希望に応じて挿入するものである。
【００２３】
図３の右上の図は押さえ部A2を時計方向にわずかに回した状態を示している。この状態では、まだ保護網６，７ははずれない状態である。同図右下の図は押さえ部A2が時計回り９０度回転した状態を示している。この回転は清掃等の作業者が手動にて回すことを想定している。そして、保護網６，７は描かれているものの、自由に取り外しができる状態にあり、左下の図は保護網６，７を取り外した状態を示している。
【００２４】
図４は、図１の別の角度から描いた状態を示し、且つ４箇所のキャッチフックFを追加した状態を示している。
【００２５】
図５は、ワンタッチ型フックＡをさらに別の角度から描いた図であり、特に下側は、中間支持部４との位置関係ならびに、固定ネジＡ３を十分に固定方向にまわして、押さえ部Ａ２が０下方に下り防護網６，７が挟まれ、またバネ部材A6が下方に圧縮状態になっている様子を示した図である。
【００２６】
図６は、本発明の変形実施例であり、ワンタッチ型フックのBを表現している。同図において、下方にはワンタッチ型フックBを利用している状態の斜視図、同図の一番上は該ワンタッチ型フックBが防護網を固定している状態を示す平面図（い）であり、説明の為に一方側の防護網だけ描いている。その下側の図面は、ワンタッチ型フックBが防護網に対して外れている状態（ろ）を示している。このワンタッチ型フックBの一部を構成する押さえ部B2は、防護網６を側方から押さえる溝を側方に有し、外部から力を受けていない自然な状態において、同６図の（ろ）のように縮小する形状にポリプロピレンで成形した部品である。また、この押さえ部B２は中間支持部に対して両端でボルト締めされている。一方、この押さえ部B２の中央には押さえ部B３が設けられている。この押さえ部B3は、楕円型の回転部材がボルトを中心に回動可能に中間支持部に対して装着され楕円型の回転部材の上部にはつまみが二箇所突出して設けられている。この楕円型の回転部材を手動にて９０度回転することにより、（い）の状態になる。その結果として、押さえ部B2の側方に設けられた溝が防護網の側方にくいこむことにより両防護網６，７が固定される。このように、一つの操作によって、両方の防護網が固定または解除される。
【産業上の利用可能性】
【００２７】
本発明の鶏舎用換気扇は、養鶏の羽根が換気扇の防護網にたまり、頻繁に防護網を開閉して清掃を行う必要があるという特殊な条件において、特に利便性を高めた換気扇の構造に関するものであり、このように羽根特有の浮遊性があり且つ比較的大きな塵が空中に多く含まれるような場所で使用される場合には、本発明と同等の目的を有すると考えられる。
【図面の簡単な説明】
【００２８】
【図１】本発明の一実施例を示す斜視図。
【図２】図１の鶏舎用換気扇の防護網を開けた状態の斜視図。
【図３】ワンタッチ型フックの動きを示す斜視図。
【図４】図１の別の角度から描いた状態を示し、且つ４箇所のキャッチフックFを追加した状態を示す斜視図。
【図５】ワンタッチ型フックAを更に別の角度から見た斜視図。
【図６】本発明の変形実施例（ワンタッチ型フックB）を示す斜視図。
【符号の説明】
【００２９】
１：鶏舎用換気扇
２：外周枠体
３：ファン
４：中間支持部
５：ファンの駆動部
６：防護網（右側）
７：防護網（左側）
Ａ：ワンタッチ型フック
A1：ベース部材
A2：押さえ部
A3：固定ネジ
A4：回動軸
【図１】
0004825517.tif 000002
【図２】
0004825517.tif 000003
【図３】
0004825517.tif 000004
【図４】
0004825517.tif 000005
【図５】
0004825517.tif 000006
【図６】
0004825517.tif 000007